(57)【要約】形状を有する複数のモジュール（１５）と、該モジュール（１５）を組立てられた配置に保持するための保持手段（１７）とを含んで成るパズル（１１）。前記保持手段（１７）は、共通点（３１）で交差する３つの互いに垂直な軸を規定し、この軸を中心として前記形状を有するモジュール（１５）が選択的に旋回し、パズルが複数の形態をとれるようにする。これら形態のうちの１つは解けた状態を表し、この状態の場合、パズルは少なくとも１つの対称の軸を有し、パズルが解けた状態にある場合、前記共通点は、パズル（１１）の前記少なくとも１つの対称軸に対して偏心の位置にある。
2004507334.tif 000002
【特許請求の範囲】
【請求項１】
形状を有する複数のモジュールと、該モジュールを組立てられた配置に保持するための保持手段とを含んで成るパズルであって、該パズルが複数の形態をとれるように、前記形状を有するモジュールが選択的に旋回する中心である３つの互いに垂直な軸を前記保持手段は規定し、前記形態のうちの１つは解けた状態を表し、この解けた状態にある場合、前記パズルは少なくとも１つの対称の軸を有し、前記パズルが解けた状態にある場合、前記パズルの前記少なくとも１つの対称軸に対して偏心の位置にある共通点で前記３つの互いに垂直な軸が交差するパズル。
【請求項２】
前記保持手段が３つの細長い部材を含んで成り、該細長部材がそれぞれ前記３つの軸の各軸を規定する請求項１に記載のパズル。
【請求項３】
前記細長部材が２つの互いに対向して位置する端部を有する請求項２に記載のパズル。
【請求項４】
前記互いに対向して位置する端部がそれぞれ、横方向に延びる保持突起部を有する請求項３に記載のパズル。
【請求項５】
前記保持突起部がそれぞれ、前記保持手段の前記共通点に対して回転可能に取付けられている請求項４に記載のパズル。
【請求項６】
前記形状を有するモジュールが前記保持突起部と係合する係合手段を含んで成り、これによって前記形状を有するモジュールがスライド可能に保持される請求項４または請求項５に記載のパズル。
【請求項７】
前記係合手段が前記モジュールから突出する形を有し、この形は前記保持手段および／または隣接するモジュール内に受入れ可能である請求項６に記載のパズル。
【請求項８】
組立てられた配置にある場合、前記突出がそれぞれ、前記保持手段の前記共通点へ向かって突出するように方向が決められている請求項７に記載のパズル。
【請求項９】
前記形状を有するモジュールおよび前記保持突起部がそれぞれ、前記パズルが解けた状態にある場合、前記パズルが規則的な形状をとるように適合された外面を含んで成る請求項４から請求項８のうちのいずれか１項に記載のパズル。
【請求項１０】
前記形状を有するモジュールの残りの表面が平面状の内面である請求項９に記載のパズル。
【請求項１１】
前記形状を有するモジュールが前記保持手段の前記共通点を中心として回転できるように、前記平面状の内面がそれぞれ配置されている請求項１０に記載のパズル。
【請求項１２】
保持突起部の１つの回転が、隣接するモジュールの移動を含む請求項４から請求項１１のうちのいずれか１項に記載のパズル。
【請求項１３】
前記保持突起部がそれぞれ、１つ以上の前記平面状の内面に配置されている請求項１０から請求項１２のうちのいずれか１項に記載のパズル。
【請求項１４】
前記モジュールの外面が、前記パズルが解けた状態にある場合、秩序のある解答であることを表す表示を有する請求項１から請求項１５のうちのいずれか１項に記載のパズル。
【請求項１５】
前記表示が模様および／または色の形を有する請求項１０に記載のパズル。
【請求項１６】
２０個の形状を有するモジュールと、６個の保持突起部を有する１個の保持手段とを含んで成る請求項１から請求項１５のうちのいずれか１項に記載のパズル。
【請求項１７】
第１の層、第２の層および第３の層を有し、前記第１および第３の層がそれぞれ１個の保持突起部と８個のモジュールとを含み、前記第２の層が前記第１の層と前記第３の層との間に配置されて４個の保持突起部と４個のモジュールとを有する請求項１から請求項１６のうちのいずれか１項に記載のパズル。
【請求項１８】
図面を参照して明細書に実質的に説明されているパズル。
【発明の詳細な説明】
【０００１】
［発明の分野］
本発明はパズルに関する。特に、本発明は、３次元の装置の形を有するパズルに関する。
【０００２】
［背景技術］
有名なルービックキューブというパズルは、近年、人々を楽しませ、考え込ませ、喜ばせた。しかしながら、これらのパズルは、特にいったん解答が分かると、なおざりにされ、忘れられた。
【０００３】
ルービックキューブなどのパズルは基本形状を有し、パズルがその基本形状をとっていないかぎり、ルービックキューブの場合では立方体であるが、様々な層を動かすことはできない。したがって、パズルの形状はパズルを解くすべての段階において同一のままであるので、パズルの目的は単に１つの色を表す各面を得ることにある。
【０００４】
ルービックキューブは、立方体の幾何学的な中心に接続部材を有する。接続部材は、立方体となる配置にパズルの構成要素を保つのに用いられ、接続部材は中心位置にあるので、パズルの形状は前述のようにほぼ同一のままである。
【０００５】
本発明は、パズルが解かれた状態にあるとき、特定の形状を有するが、可動部分を操作する間は形状が比較的に不規則であるパズルを提供するものである。パズルを解くために、ユーザはパズルをその元の形状に戻さなければならない。
【０００６】
［発明の開示］
本発明は、形状を有する複数のモジュールと、このモジュールを組立てられた配置に保持するための保持手段とを含んで成るパズルであって、パズルが複数の形態をとれるように、この形状を有するモジュールが選択的に旋回する中心である３つの互いに垂直な軸を前記保持手段は規定し、前記形態のうちの１つは解けた状態を表し、この解けた状態にある場合、パズルは少なくとも１つの対称の軸を有し、また、パズルが解けた状態にある場合、パズルの前記少なくとも１つの対称軸に対して偏心の位置にある共通点で前記３つの互いに垂直な軸が交差するパズルを提供するものである。
前記保持手段は３つの細長い部材を含むことができ、この細長部材はそれぞれ３つの軸の各軸を規定するものである。
前記細長部材は２つの互いに対向して位置する端部を有することができる。
前記互いに対向して位置する端部はそれぞれ、横方向に延びる保持突起部を有することができる。
【０００７】
好ましくは、保持突起部のそれぞれは、前記保持手段の前記共通点に対して回転可能に取付けられている。
【０００８】
前記形状を有するモジュールは、前記保持突起部と係合する係合手段を含むことができ、これによって前記形状を有するモジュールはスライド可能に保持されている。
【０００９】
前記係合手段は、前記モジュールから突出する形を有することができ、この形は前記保持手段および／または隣接するモジュール内に受入れ可能である。
【００１０】
前記パズルが組立てられた配置にある場合、前記突出のそれぞれは、前記保持手段の前記共通点へ向かって突出するように向きを決めることができる。
【００１１】
好ましくは、前記形状を有するモジュールのそれぞれ及び前記保持突起部は、パズルが解かれた状態にある場合、前記パズルが規則的な形状をとるように適合された外面を含んで成る。
【００１２】
好ましくは、前記形状を有するモジュールの残りの表面は、平面状の内面である。
【００１３】
前記平面状の内面のそれぞれは、前記形状を有するモジュールが前記保持手段の前記共通点を中心として回転できるように配置することができる。
【００１４】
好ましくは、前記保持突起部の回転は、隣接するモジュールの移動を伴う。
【００１５】
好ましくは、前記保持突起部のそれぞれは、１つ以上の前記平面状の内面に配置されている。
【００１６】
各モジュールの前記外面は、パズルが解けた状態にある場合、秩序のある解答であることを表す表示を有することができる。
【００１７】
好ましくは、前記表示は模様および／または色の形を有する。
【００１８】
本発明の１つの態様では、パズルは、２０個の形状を有するモジュールと、６個の保持突起部を有する１個の保持手段とを含んで成る。パズルは、第１の層、第２の層および第３の層を有することができ、前記第１および第３の層はそれぞれ、１個の保持突起部と８個のモジュールとを含み、前記第２の層は、前記第１の層と前記第３の層との間に配置され、４個の保持突起部と４個のモジュールとを有する。
【００１９】
本発明は、添付図面に示されている本発明のいくつかの特定の実施形態に関する以下の説明によってより良く理解できるであろう。
【００２０】
［発明を実施するための最良の形態］
図１〜図９において、第１の実施形態に係るパズル１１は、２０個の形状を有するモジュール１５と、モジュール１５を組立てられた配置に保持する保持手段１７とを含んで成る。
【００２１】
パズル１１の保持手段１７と形状を有するモジュール１５との間の相互作用は、ルービックキューブの様々な構成要素の相互作用に類似である。
【００２２】
図８に示すように、保持手段１７は、３つの互いに垂直な細長い部材２１を含み、各細長部材２１は、２つの互いに対向して位置する端部２３を有するとともに、１つの共通点３１で交差している。
【００２３】
保持突起部１９は、対向して位置する各端部２３から横方向に延び、この端部に回転可能に取付けられている。
【００２４】
各形状を有するモジュール１５と保持突起部１９は、外面２５を有する。この外面２５は、パズルが解かれた状態にあるとき、形状を有するモジュール１５と保持突起部１９とが一緒に円筒形体体１３を成すように、形成されている。この様子は図１に示されている。
【００２５】
図９に示すように、形状を有するモジュール１５はそれぞれ突出部３３をさらに含んで成り、この突出部３３は、保持突起部１９および／または隣接する形状を有するモジュール１５によってスライド可能に保持されるように適合されている。
【００２６】
パズルが組立てられた配置にあるとき、形状を有するモジュール上の突出部３３はそれぞれ、保持手段１７の共通点３１へ向かって突出するように向きが決められている。
【００２７】
各形状を有するモジュール１５の残りの表面は、平面状の内面２７を成し、少なくとも１つの平面状内面２７は、突出部３３を内蔵する。パズル１１を操作して別の形態を得ようとするとき、隣接するモジュール１５上の平面状内面が、この平面状内面２７を横切ってスライドするように操作することができる。
【００２８】
パズル１１は、複数の形態をとることができる。それらのうちのいくつかを図１および図３〜図７に示す。このような形態の１つは、円筒形体１３を成す１つの解かれた状態である。これについては、前述し、図１に示した。この状態で円筒形体１３は、３つの対称軸を有し、これらの対称軸はその幾何学的な中心（図示せず）で交差する。細長部材２１の共通点３１は、円筒形体１３の幾何学的な中心から間隔を置いて位置し、したがって、この幾何学的な中心に対して偏心位置にある。この実施形態では、共通点３１は、３つの対称軸全てからずれている。
【００２９】
３つの回転軸の共通点３１は、対称軸からずれているので、パズル１１は、解かれた状態にあるときのみ、元の形状を成すことができる。これは、難度を上げ、パズルの解答を見つけるのをより困難にする。
【００３０】
円筒形体１３は３つの層を有し、この層は３つの細長部材２１のそれぞれに沿ってそれぞれ延びる。例えば図４に示すように、円筒形体１３の長手軸に平行な細長部材２１ａは、第１の層３５、第２の層３７および第３の層３９を有する。各層は、そのそれぞれの細長部材２１を中心として、偏心位置にある共通点３１に対して回転可能である。
【００３１】
円筒形体１３の層を回転させると、パズル１１は、図３〜図６に示すように、不規則な形状の形態をとる。これは、共通点３１が幾何学的な中心に対して偏心的な向きをとっているからである。層をさらに回転させると、パズル１１は、解けた状態からさらに遠のいた歪んだ形状となる。この様子を図７に示す。
【００３２】
共通点３１は、幾何学的な中心に対して偏心位置にあるので、パズル１１は不規則的な形状の複数の形態をとれるが、パズル１１が円筒形体１３の形を有するのはただ１つの形態でしかとれない。
【００３３】
パズル１１に別の特徴を持たせるために、形状を有するモジュール１５の外面２５は、模様、１つの色または複数の色、および／またはその他の表示を有することもある。これによって、パズル１１が解けた状態にある場合、模様が、認識可能な表現を表すようにする。例えば、円筒形体１３は飲料用缶の形であることもあり、円筒形体１３の外面は、よく知られた飲料のラベルを有することもある。したがって、パズル１１が解かれた状態にあるとき、パズル１１の外観は、よく知られた飲料用缶の外観と類似になる。
【００３４】
パズル１１の別の実施形態は、球６１の形である。この様子を図１０に示す。球の構造は、円筒形体１３の構造と類似である。この実施形態では、球６１の外面に描かれた模様は、サッカーボールあるいはバスケットボールを表し、特定のチームの色を有することもある。
【００３５】
さらなる実施形態には、オーストラリンアフットボール、ラグビーボール、アメリカンフットボールあるいはテニスボールなどがある。
【００３６】
当業者に明らかな変更および変形は、本発明の範囲内にあるものとする。
【００３７】
本明細書全体にわたり、文脈からして別の解釈が必要となることがないかぎり、「含んで成る」およびその文法的変形は、１つの対象物または複数の対象物から成る群を含むことを意味するが、その他のいかなる１つの対象物または複数の対象物から成る群も除外することを意味しない。
【図面の簡単な説明】
【図１】
解かれた配置にあるパズルの第１の実施形態を示す斜視図である。
【図２】
図１の平面図である。
【図３】
中間の長手層のみが回転された状態にあるパズルを示す斜視図である。
【図４】
中間の軸層のみが回転された状態にあるパズルを示す斜視図である。
【図５】
１つの端部層のみが回転された状態にあるパズルを示す斜視図である。
【図６】
図５の側面図である。
【図７】
いくつかの層が順次に動かされた後のパズルを示す斜視図である。
【図８】
１つの突起部が破線により示されている保持手段を下から見た斜視図である。
【図９】
３つの隣接する形状を有するモジュールの平面状の内面の斜視図である。
【図１０】
解かれた配置にあるパズルの第２の実施形態を示す斜視図である。
【国際公開パンフレット】
2004507334.tif 000003
2004507334.tif 000004
2004507334.tif 000005
2004507334.tif 000006
2004507334.tif 000007
2004507334.tif 000008
2004507334.tif 000009
2004507334.tif 000010
2004507334.tif 000011
2004507334.tif 000012
2004507334.tif 000013
2004507334.tif 000014
2004507334.tif 000015
2004507334.tif 000016
2004507334.tif 000017
2004507334.tif 000018
2004507334.tif 000019
2004507334.tif 000020
2004507334.tif 000021
2004507334.tif 000022
2004507334.tif 000023
【国際調査報告】
2004507334.tif 000024
2004507334.tif 000025
2004507334.tif 000026